(57)【特許請求の範囲】
【請求項１】
脱穀装置９の下方に、選別を行う揺動本体５１と、選別後の二番物を搬送する還元コンベア１４を配設して成るコンバインの揺動選別装置１０において、
該還元コンベア１４の前端部を側面視で、揺動本体５１の上でクリンプ網３１の前後途中部の下方まで延出し、該還元コンベア１４前端部に、左右方向に二番物用処理胴６０を伸延して揺動本体５１上に横架し、該二番物用処理胴６０の配置は扱胴２０の前端よりも後方位置とし、
該二番物用処理胴６０は、左右に軸芯を有する胴本体６１の外周に螺旋搬送体を付設し、該胴本体６１と螺旋搬送体の回転軌跡の上方を側面視円弧状のカバー６３で被装し、
該二番物用処理胴６０上にクリンプ網３１から漏下された穀粒等は、前記二番物用処理胴６０のカバー６３に沿って揺動本体５１上に案内すべく構成したことを特徴とするコンバインの二番物処理構成。
【請求項２】
請求項１記載のコンバインの二番物処理構成において、二番物用処理胴６０の胴本体６１の左右の終端部には、複数の板状の羽体６４を半径方向に突設し、該羽体６４位置の後方の漏下処理体に落下口６５を開口し、該二番物用処理胴６０の処理で残された未処理物を、揺動本体５１の端部上に排出すべく構成したことを特徴とするコンバインの二番物処理構成。
【発明の詳細な説明】
【０００１】
【発明の属する技術分野】
本発明は、コンバインの揺動選別装置で選別した二番物を処理する処理胴を設ける技術に関する。
【０００２】
【従来の技術】
従来から自脱型のコンバインにおいて、刈り取られた穀稈の穂先側を脱穀装置内に案内し、扱胴で脱穀し、脱穀された籾藁が、扱胴下方の揺動選別装置上に漏下し、更に、扱胴によって処理しきれなかった枝梗付着粒や穂切粒等が送塵口処理胴内へ搬送され、後方に搬送されながら穀粒と藁屑等に処理され、再び揺動選別装置の後部に落下されていた。該揺動選別装置に落下された穀粒は、揺動選別と風選別とによって一番物、二番物、藁屑とに選別され、選別後の一番物をグレンタンク内に貯留し、藁屑を機体後方より排出し、二番物を還元コンベアを介して扱胴前側方よりクリンプ網上に投入して再選別するように構成していた。同様に普通型のコンバインにおいても、選別後の二番物は還元コンベアを介して揺動選別装置の前部に再投入したり脱穀部に投入して処理するように構成されていた。
【０００３】
【発明が解決しようとする課題】
しかし、従来のコンバインにおいて収穫能力を高めるために脱穀装置に一度に大量の穀稈が搬送された場合には、扱胴で大量の籾を脱粒する必要があり、この扱胴にさらに還元コンベアより二番物が投入されると、処理空間がさらに少なくなってササリ粒を生じさせるものであった。また、還元コンベアより扱胴側に再投入された二番物は、扱胴側で処理されて揺動選別装置に漏下されるか、処理で残された二番物が送塵口処理胴に投入され処理されているが、稲の品種によっては穀粒の枝梗の弾性が大きく、扱胴側で枝梗を取り除く処理をすることができずにそのまま下方に漏下され、再度二番物として還元コンベアを介して扱胴側に投入され、二番物を減らすことができない場合があった。普通型のコンバインにおいても、この弾性が大きい枝梗付着粒を確実に処理することができない場合があった。
【０００４】
【課題を解決するための手段】
本発明はこのような問題点を解消するために、次の如く構成したものである。
請求項１においては、脱穀装置９の下方に、選別を行う揺動本体５１と、選別後の二番物を搬送する還元コンベア１４を配設して成るコンバインの揺動選別装置１０において、該還元コンベア１４の前端部を側面視で、揺動本体５１の上でクリンプ網３１の前後途中部の下方まで延出し、該還元コンベア１４前端部に、左右方向に二番物用処理胴６０を伸延して揺動本体５１上に横架し、該二番物用処理胴６０の配置は扱胴２０の前端よりも後方位置とし、該二番物用処理胴６０は、左右に軸芯を有する胴本体６１の外周に螺旋搬送体を付設し、該胴本体６１と螺旋搬送体の回転軌跡の上方を側面視円弧状のカバー６３で被装し、該二番物用処理胴６０上にクリンプ網３１から漏下された穀粒等は、前記二番物用処理胴６０のカバー６３に沿って揺動本体５１上に案内すべく構成したものである。
請求項２においては、請求項１記載のコンバインの二番物処理構成において、二番物用処理胴６０の胴本体６１の左右の終端部には、複数の板状の羽体６４を半径方向に突設し、該羽体６４位置の後方の漏下処理体に落下口６５を開口し、該二番物用処理胴６０の処理で残された未処理物を、揺動本体５１の端部上に排出すべく構成したものである。
【０００５】
【本発明の実施の形態】
本発明が解決しようとする課題及び解決するための手段は以上の如くであり、次に添付の図面に示した実施例の構成を説明する。
図１はコンバイン全体側面図、図２は脱穀装置と揺動選別装置の側面図、図３は二番物処理胴を配置した揺動選別装置の部分平面図一部断面図、図４は揺動本体の上方に配置した二番物処理胴の正面図一部断面図、図５は別形態の二番物処理胴を示す正面図一部断面図、図６は別形態の二番物処理胴の側面断面図、図７は汎用型コンバインの揺動選別装置に二番物処理胴を配置した側面断面図、図８は二番物を処理する第二実施例を示す揺動選別装置の側面断面図である。
【０００６】
図１においてコンバインの全体構成から説明すると、クローラ式走行装置１上に機体フレーム２を載置し、該機体フレーム２前端に引起し・刈取装置８を昇降可能に配設し、引起し・刈取装置８は前端に分草板３を突出して穀稈を分草し、その後部に引起しケース４を立設して該引起しケース４より突出したタインの回転により穀稈を引き起こして、分草板３後部に配設した刈刃５にて株元を刈り取り、上部搬送装置、下部搬送装置、縦搬送装置６にて後部へ搬送し、この縦搬送装置６の上端から株元がフィードチェーン７に受け継がれて脱穀装置内に穀稈を搬送し、該フィードチェーン７後端には排藁搬送装置１６が配設され、排藁搬送装置１６後部下方に配設した排藁カッター装置１７にて、搬送されてきた排藁を切断して圃場に放出している。前記脱穀装置の側部には選別後の精粒を貯留するグレンタンク１２が配設され、該グレンタンク１２前部には運転部１９が配設されている。
【０００７】
前記脱穀装置９は図２に示すように、扱室内に扱胴２０と送塵口処理胴２１とが軸芯を略前後方向にして横架されている。該扱胴２０の外周面の下方がクリンプ網３１で被装され、脱粒された穀粒等を下方に漏下している。この脱穀装置９下方に揺動選別装置１０が配設されている。
【０００８】
前記揺動選別装置１０には、揺動本体５１と唐箕２５とプレファン２６等が配設れ、脱穀された籾と籾藁とが比重選別と風選別により一番物と二番物と藁くず等に選別が行なわれている。また、揺動本体５１下方の前後途中位置には、進行方向に対して左右に一番コンベア２２と二番コンベア２３とが横設されている。前記一番コンベア２２の他側に揚穀コンベア１３が連結されており、一番コンベア２２の流穀板２８上に漏下された一番物は、一番コンベア２２、揚穀コンベア１３を介してグレンタンク１２に搬送されている。また、前記二番コンベア２３の他端部に還元コンベア１４が連結されており、該還元コンベア１４を介して後述する如く揺動選別装置１０前部に投入して、再度処理を行うようにしている。尚、前記揺動選別装置１０は、機枠４７の左右側面内に収納され、該機枠４７の側面の外側に揚穀コンベア１３と還元コンベア１４が配置されている。
【０００９】
また、前記揺動本体５１後部下面が、クランク軸等の揺動駆動機構４８によって揺動駆動可能に連結されている。前記揺動本体５１の前端部には、第一グレンパン５２が形成され、該第一グレンパン５２の後下方に第二グレンパン５３が形成されている。該第一グレンパン５２と第二グレンパン５３とは、板体を波状にして籾を後方に搬送し易く成形している。該第一グレンパン５２が扱胴２０前部下方に位置され、第二グレンパン５３が扱胴２０中央部下方に位置されている。前記第一グレンパン５２後部より後方の下面には、導入口５６が開放されている。前記第一グレンパン５２後方に、揺動可能にフルイ線５４・５４・・・が支持され、前記第二グレンパン５３に連設してチャフ部５５が形成されている。該チャフ部５５は、扱胴２０の後部の下方より二番コンベア２３の上方まで延出されている。前記チャフ部５５後部と揺動本体５１後部との間に固定チャフ部５７が配されている。
【００１０】
更に、前記第二グレンパン５３の後部より後下方に膨出して膨出部５８を成形し、該膨出部５８下面には落下口５９が開口されている。前記落下口５９の前部より後方途中位置まで網状のグレンシーブ４９によって被装され、一番コンベア２２の上方が被装されている。
【００１１】
更に、前記揺動本体５１後上方には、吸引ファン３０が横設され、選別された藁屑を吸引して機外に排出するようにしている。
【００１２】
また、前記プレファン２６が揺動本体５１の前下方に配され、前記導入口５６より揺動本体５１内に選別風を送風し、フルイ線５４・５４・・・上の籾等を後方に吹き飛ばしている。前記唐箕２５が揺動本体５１の第二グレンパン５３下方に配置され、落下口５９よりチャフ部５５に向けて選別風を送風し、チャフ部５５の風選別と比重選別によって一番物と二番物とが混じり合って、チャフ部５５前部に一番物が漏下され、一番コンベア２２、揚穀コンベア１３を介してグレンタンク１２内に貯留される。チャフ部５５後部より二番物や比較的小さい藁屑等が落下され、二番コンベア２３、還元コンベア１４を介して再処理されている。そして、選別後の藁屑の一部が吸引ファン３０に吸引され機外へ排出され、固定チャフ部５７上では二番物を完全に落下させて藁屑が揺動本体５１後部より機外へ排出されている。
【００１３】
そして、本発明において、前記還元コンベア１４の前端部（終端部）を図２に示す側面視で、クリンプ網３１の前後途中部の下方まで延出し、還元コンベア１４前端部に左右に伸延する二番物用処理胴６０の右端部が連通され、揺動本体５１上方に二番物用処理胴６０が横架される。該二番物用処理胴６０は、図２〜図４に示すように、左右に軸芯を有する胴本体６１の外周面に螺旋状のスクリュー６１ａを固設し、該スクリュー６１ａの回動軌跡の下方をコーンケーブ６２で被装し、上方を側面視円弧状のカバー６３で被装したものである。この二番物用処理胴６０によって、枝梗付着粒等が含まれる二番物を処理するようにしている。
【００１４】
また、この二番物用処理胴６０の配置は、漏下量の最も多い扱胴２０前部より後方であり、この二番物用処理胴６０上に穀粒等が漏下されてもカバー６３に沿って揺動本体５１上に案内している。
【００１５】
また、前記二番物用処理胴６０は、クリンプ網３１の下方で揺動本体５１の第二グレンパン５３及びフルイ線５４・５４・・・の上方に配置され、コーンケーブ６２より漏下された藁屑がフルイ線５４・５４・・・上に落下された選別風に乗って後方に搬送され、選別し易い構成となっている。
【００１６】
また、二番物用処理胴６０の胴本体６１の終端部（進行方向の左側）には、複数の板状の羽体６４・６４・・・が半径方向に突設され、この羽体６４・６４・・・位置の後方に落下口６５が開口され、二番物用処理胴６０の処理で残された未処理物を揺動本体５１の左端部上に排出するようにしている。揺動本体５１では、扱胴２０前部で大量に脱粒された穀粒等が揺動本体５１前部の進行方向の右側に落下されており、この逆の左側に前記二番物用処理胴６０の未処理物が落下されており、揺動本体５１上の分布が良く選別性能を向上している。
【００１７】
また、前記二番物用処理胴６０’の別形態として、図５、図６に示すように構成することもできる。胴本体６１周囲に羽根状の羽根歯６６・６６・・・を植設し、回転速度を高めることで藁屑を確実にほぐし、また稲の種類によって穀粒に付着する枝梗の弾性が大きい場合にも枝梗を取り除くようにし、二番物を確実に処理することができる。この羽根歯６６・６６・・・を用いた場合には、コーンケーブ６２の代わりにクリンプ網６７ａ・６７ｂが配置され、二番物用処理胴６０の始端側（還元コンベア１４側）に網目の間隔を小さくしたクリンプ網６７ａを配置し、該クリンプ網６７ａ端部より二番物用処理胴６０終端側に網目の間隔を大きくしたクリンプ網６７ｂが配置されている。始端側のクリンプ網６７ａで藁屑が取り除かれた穀粒のみを漏下し、終端側のクリンプ網６７ｂより残りの二番物や藁屑が漏下され、前記落下口６５より未処理物が落下されている。
【００１８】
尚、前記二番物用処理胴６０の配置は、前記揺動本体５１の第二グレンパン５３の上方に配置する構成に限定するものでなく、さらに後方のチャフ部５５上に配置してもよい。さらには揺動本体５１前部の上方に配置しても良い。この場合には、二番物用処理胴６０上部に後下がり傾斜状のプレートを配置してクリンプ網３１より漏下された穀粒等をスムースに揺動本体５１上に案内するようにする必要がある。
【００１９】
このように構成したことによって、揺動選別装置１０で選別され、二番物が還元コンベア１４を介して前方に搬送されても、脱穀装置９（扱胴２０）に二番物が投入されないので、扱胴２０側の処理空間が増え、一度に大量の穀稈が搬送されてもササリ粒を生じることなく脱粒することができる。また、前記二番物用処理胴６０で二番物が処理することができ、揺動選別装置１０内を還流する二番物量を減らすことができ、選別性能を向上することができる。
【００２０】
また、前記二番物用処理胴６０は、汎用コンバインの揺動選別装置１０’に設けることもできる。図７に示すように、脱穀装置９’として、左右に軸芯を有するローター９０・９１を前後に二本横設し、穀稈の左右方向に搬送しながら下方の揺動本体５１’上に漏下する構成としている。この揺動本体５１’前部のローター９０・９１下方にグレンパン９２が形成され、グレンパン９２後部の下方より後方にチャフ部９３が配設され、チャフ部９３下方に粗選別用のグレンシーブ９４が配置されている。この揺動本体５１’の前下方に唐箕２５’が配置され揺動本体５１’に選別風が送風され、風選別と比重選別とが行われ、一番物と二番物と藁屑とに選別されている。この揺動本体５１’の後下方にも選別された一番物を搬送する一番コンベア２２’と二番物を搬送する二番コンベア２３’が横設され、二番コンベア２３’終端部に還元コンベア１４が連結されている。
【００２１】
前記還元コンベア１４前部を揺動本体５１前後途中部の上側方に配置し、この前部に二番物用処理胴６０始端部が接続される。この二番物用処理胴６０の位置は、前後のローター９０・９１の間の上方からの漏下量が少ない位置となっている。尚、前記二番物用処理胴６０の配置は揺動本体５１の前部の上方に配置することもできる。
【００２２】
この構成においても、還元コンベア１４より二番物用処理胴６０に二番物が投入され、二番物を処理してグレンパン９２後部に落下させている。よって、前記同様に二番物を脱穀装置９’に投入することなく処理することができ、脱穀装置９’の負担を低減するとともに、二番物の処理性能を向上することができる。
【００２３】
次に、二番物を処理する第二実施例の構成について説明する。
図８に示すように、この第二実施例においては、前記二番コンベア２３終端部に二番物処理胴１４ 'の始端部を連通連結している。該二番物処理胴１４ 'の傾斜角度を急傾斜状に配置して、内部に図示せぬスクリューを軸支し、二番物処理胴１４ '上部を側面視で揺動本体５１における第二グレンパン５３及びフルイ線５４の上方に突出させて、二番物処理胴１４ '上部よりクリンプ網３１上（扱胴２０側）に二番物を投入する構成としている。
そして、この別形態においては、揺動本体５１より上方に突出した二番物処理胴１４ '上部の下面側（前面側）に、二番物をもみほぐす効率の高いクリンプ網等より成る漏下処理体７０で被装している。該漏下処理体７０の下方には揺動本体５１上面に向かって傾斜する板体より形成するシュートプレート７１が配置され、シュートプレート７１下部を機枠４７の図示せぬ開口下部に延出されている。
【００２４】
よって、前記二番物処理胴１４ '内部のスクリューによって搬送される二番物がこの漏下処理体７０を通過する際にもまれ、枝梗付着粒の枝梗を取り除いて、穀粒と枝梗とに別れ、細かい藁屑とともに漏下処理体７０より下方に漏下されている。この穀粒等はシュートプレート７１にガイドされながら揺動本体５１の右側部上に案内される。従って、簡単な構成において二番物処理胴１４ 'を構成することができ、部品点数が少なく安価な構成において処理胴が構成される。そして、前記二番物処理胴１４ '前上部より扱胴２０側に投入される量を減らし、扱胴２０側の処理空間を広くし、脱穀装置９に一度に大量の穀稈が搬送されても処理できるようにしている。
【００２５】
尚、前記二番物処理胴１４ 'の傾斜角度を急傾斜状としているが、二番物処理胴１を緩い傾斜状として扱胴２０前部まで長く延出させることで、二番物処理胴上部を揺動本体５１における第一グレンパン５２の上方に配置し、この位置に漏下処理体７０を配置する構成としてもよい。
【００２６】
【発明の効果】
以上のように構成したので、本発明は次のような効果を奏するものである。
請求項１の如く、脱穀装置９の下方に、選別を行う揺動本体５１と、選別後の二番物を搬送する還元コンベア１４を配設して成るコンバインの揺動選別装置１０において、該還元コンベア１４の前端部を側面視で、揺動本体５１の上でクリンプ網３１の前後途中部の下方まで延出し、該還元コンベア１４前端部に、左右方向に二番物用処理胴６０を伸延して揺動本体５１上に横架し、該二番物用処理胴６０の配置は扱胴２０の前端よりも後方位置とし、該二番物用処理胴６０は、左右に軸芯を有する胴本体６１の外周に螺旋搬送体を付設し、該胴本体６１と螺旋搬送体の回転軌跡の上方を側面視円弧状のカバー６３で被装し、該二番物用処理胴６０上にクリンプ網３１から漏下された穀粒等は、前記二番物用処理胴６０のカバー６３に沿って揺動本体５１上に案内すべく構成したので、選別された二番物が脱穀装置に投入されないので、穀稈を処理する処理空間が増え、一度に大量の穀稈が搬送されてもササリ粒を生じることなく脱粒することができる。
また、前記二番物用処理胴で二番物を処理することができ、特に、穀粒に付着する枝梗の弾性が大きい種類の稲を収穫する場合にも枝梗を取り除くことができ、揺動選別装置内を還流する二番物量を減らすことができ、揺動選別装置による選別性能を向上することができる。
また、この二番物用処理胴６０の配置は、漏下量の最も多い扱胴２０前部より後方であり、それでも大量の穀粒等が落下するのであるが、この二番物用処理胴６０上に穀粒等が漏下されてもカバー６３によって、揺動本体５１上に案内することが出来るのである。
【００２７】
請求項２の如く、二番物処理構成において、二番物用処理胴６０の胴本体６１の左右の終端部には、複数の板状の羽体６４を半径方向に突設し、該羽体６４位置の後方の漏下処理体に落下口６５を開口し、該二番物用処理胴６０の処理で残された未処理物を、揺動本体５１の端部上に排出すべく構成したので、該二番物用処理胴６０で処理出来ずに残された未処理物を、揺動本体５１の端部上に、羽体６４・６４により強制的に排出することが出来るのである。
【図面の簡単な説明】
【図１】  コンバイン全体側面図である。
【図２】  脱穀装置と揺動選別装置の側面図である。
【図３】  二番物処理胴を配置した揺動選別装置の部分平面図一部断面図である。
【図４】  揺動本体の上方に配置した二番物処理胴の正面図一部断面図である。
【図５】  別形態の二番物処理胴を示す正面図一部断面図である。
【図６】  別形態の二番物処理胴の側面断面図である。
【図７】  汎用型コンバインの揺動選別装置に二番物処理胴を配置した側面断面図である。
【図８】  二番物を処理する第二実施例を示す揺動選別装置の側面断面図である。
【符号の説明】
９  脱穀装置
１０  揺動選別装置
１４  還元コンベア
２０  扱胴
２２  一番コンベア
２３  二番コンベア
５１  揺動本体
６０  二番物用処理胴
７０  漏下処理体
【図１】
0003730408.tif 000002
【図２】
0003730408.tif 000003
【図３】
0003730408.tif 000004
【図４】
0003730408.tif 000005
【図５】
0003730408.tif 000006
【図６】
0003730408.tif 000007
【図７】
0003730408.tif 000008
【図８】
0003730408.tif 000009